(57)【要約】      （修正有）【課題】ロータリーエンジンは４サイクルエンジンと比較して小型高出力と言う特徴を持つが、燃費が悪いと言う欠点を持つ。【解決手段】４サイクルエンジンは同一シリンダー内で混合気を圧縮し燃焼してピストンを押し下げてエンジン出力が発生する。しかしロータリーエンジンは混合気の圧縮室と燃焼室が分かれているため、ロータリーエンジンの圧縮室の部分はハウジング１の水冷ジャケット１０に冷却水を流して冷却して混合気の圧力を下げてポンピングロスを減少させてエンジン出力の実行効率を向上させる。燃焼室の部分はハウジングの加熱ジャケット９に排気ガスを流して排気熱で燃焼室７を加熱し、燃焼室内の燃焼ガスの温度低下を抑制することによって燃焼室内の圧力低下を抑制して冷却ロスを抑制してエンジン出力効率を向上させる。【選択図】図１
2017082751.tif 000002
【特許請求の範囲】
【請求項１】
ウォータジャッケット付ハウジングとローターで構成されたロータリーエンジンの混合気圧縮側のウォータージャケットに冷却流体（冷却水、クーラント、空気などの気体又は液体）を流し、燃焼室側のウォータージャケットには加熱流体（排気ガス、又は排気ガスで加熱した液体又は気体）を流し、エンジンを始動して１０分以上経過した時のエンジン運転時に、冷却流体に対して加熱流体が少なくとも７０℃以上高くすることを特徴とするエンジンとこのエンジンを使ったシステム．
【発明の詳細な説明】
【技術分野】
【０００１】ロータリーエンジンを搭載した自動車や２輪車、電車、飛行機船舶等の乗り物や発電機、ポンプ、コンプレッサーなど。
【背景技術】
【０００２】近年、益々自動車のエンジンは小型化、高出力化、低燃費が求められ、エンジンの高効率化が求められている。
【発明の概要】
ガソリンエンジンは燃料の全エネルギーのうち実行効率は約３０％で、約３０％は排気、約３０％は冷却、約１０％が機械の摩擦などでロスする。そこで冷却ロスを抑えて実行効率を向上させることにより、燃費とエンジン出力の向上を図る。
【発明が解決しようとする課題】
【０００３】ロータリーエンジンは４サイクルエンジンと比較して小型高出力と言う特徴を持つが、燃費が悪いと言う欠点を持つ。エンジンの冷却を高めてエンジンの温度を低くすると線膨張係数によって混合気が収縮するため、混合気の圧縮工程で圧力が低下し、ポンピングロスが下がるが、混合気が爆発して膨張するときにエンジンに熱を奪われて爆発後の燃焼ガスの温度が低下し、圧力が低下する。つまり冷却ロスが大きくなり、出力や燃費が低下する。ロータリーエンジンのハウジングの温度の制御によって実行効率の高いロータリーエンジンを提供する。
【課題を解決するための手段】
【０００４】４サイクルエンジンは同一シリンダー内で混合気を圧縮し燃焼してピストンを押し下げてエンジン出力が発生する。しかしロータリーエンジンは混合気の圧縮室と燃焼室が分かれているため、ロータリーエンジンの圧縮室の部分はハウジングのウォータージャケットに冷却水を流して冷却して混合気の圧力を下げてポンピングロスを低下させ、燃焼室の部分はハウジングのウォータージャケットに排気ガスを流して排気熱で燃焼室を加熱し、燃焼室内の燃焼ガスの温度低下を抑制することによって燃焼室内の熱損失による圧力低下を抑制して高いエンジン出力が得られる。
【発明の効果】
【０００４】ロータリーエンジンの実行効率が向上し、燃費とエンジン出力向上を同時に改善でき、４サイクルエンジンよりも小型高出力、低燃費エンジンが得られる。
【図面の簡単な説明】
【０００４】
【図１】本発明のロータリーエンジンの断面概念図である。１はハウジング、２はローター、３はエキセントリックシャフト、４はスパークプラグ、５は排気ポート、６は吸気ポート、７は燃焼室、８は圧縮室、９は加熱ジャケット、１０は水冷ジャケットである。１のハウジングの中の壁に沿って反時計回りにローター２が回転し、ローター２が自転しながら公転することによってエキセントリックシャフト３が反時計回りに回転し、外部に動力を出力する。ローターの回転によって圧縮室８の体積が拡大するときに吸気ポート６から混合気が入り、次に燃焼室の体積が狭くなるとともに混合気が圧縮され、混合気の体積が小さくなって高圧になった時にスパークプラグ４が点火し、混合気が燃焼する。混合気が燃焼して高温になることによって圧力が上昇し、燃焼室７の体積が膨張しながらローター２が進角し、ローター２のギアを反してエキセントリックシャフト３に回転力が伝わる。そして燃焼室の体積が収縮するときに排気ポート５から燃焼ガスが排出され、また吸気ポート６から次の混合気の吸気が始まる。圧縮室８を冷却するため、１０の水冷ジャケットに外部の空気によって冷やされた流体が流れる。一方、燃焼室７の温度を高温に保つため、加熱ジャケット９に排気熱によって加熱した流体が流れる。
2017082751.tif 000003
１．ハウジング
２．ローター
３．エキセントリックシャフト
４．スパークプラグ
５．排気ポート
６．吸気ポート
７．燃焼室
８．圧縮室
９．加熱ジャケット
１０．水冷ジャケット
【図１】
2017082751.tif 000004
【手続補正書】
【提出日】平成27年12月19日(2015.12.19)
【手続補正２】
【補正対象書類名】特許請求の範囲
【補正対象項目名】全文
【補正方法】変更
【補正の内容】
【特許請求の範囲】
【請求項１】
ウォータジャッケット付ハウジングとローターで構成されたロータリーエンジンの混合気圧縮側のウォータージャケットに冷却流体（冷却水、クーラント、空気などの気体又は液体）を流し、燃焼室側のウォータージャケットには加熱流体（排気ガス、又は排気ガスで加熱した液体又は気体）を流し、エンジンを始動して１０分以上経過した時またはアイドリングストップ等でエンジンを停止して３０分以内にエンジンを再始動した時のエンジン運転時に、ハウジングの混合気圧縮側のウォータージャケットを流れる冷却流体に対して燃焼室側のウォータージャケットを流れる加熱流体の温度が少なくとも７０℃以上高くすることを特徴とするエンジンとこのエンジンを使ったシステム．
【手続補正３】
【補正対象書類名】明細書
【補正対象項目名】全文
【補正方法】変更
【補正の内容】
【発明の詳細な説明】
【技術分野】
【０００１】ロータリーエンジンを搭載した自動車や２輪車、電車、飛行機船舶等の乗り物や発電機、ポンプ、コンプレッサーなど。
【背景技術】
【０００２】近年、益々自動車のエンジンは小型化、高出力化、低燃費が求められ、エンジンの高効率化が求められている。
【発明が解決しようとする課題】
【０００３】ロータリーエンジンは４サイクルエンジンと比較して小型高出力と言う特徴を持つが、燃費が悪いと言う欠点を持つ。エンジンの冷却を高めてエンジンの温度を低くすると線膨張係数によって混合気が収縮するため、混合気の圧縮工程で圧力が低下し、ポンピングロスが下がるが、混合気が爆発して膨張するときにロータリーエンジンのハウジングに熱を奪われて爆発後の燃焼ガスの温度が低下し、ロータリーエンジンの燃焼室の圧力が低下し、ローターを押す力が低下してエンジン出力が低下する。つまり冷却ロスが大きくなり、出力や燃費が低下し、実行効率が低下する。本発明はロータリーエンジンのハウジングの温度の制御によって実行効率の高いロータリーエンジンを提供する。
【課題を解決するための手段】
【０００４】４サイクルエンジンは同一シリンダー内で混合気を圧縮し燃焼してピストンを押し下げてエンジン出力が発生する。しかしロータリーエンジンは混合気の圧縮室と燃焼室が分かれているため、ロータリーエンジンの圧縮室の部分はハウジングのウォータージャケットに冷却水を流して冷却して混合気の圧力を下げてポンピングロスを低下させ、燃焼室の部分はハウジングのウォータージャケットに排気ガスを流して排気熱で燃焼室を加熱し、燃焼室内の燃焼ガスの温度低下を抑制することによって燃焼室内の冷却損失による圧力低下を抑制して高いエンジン出力が得られる。
【発明の効果】
【０００５】ロータリーエンジンの実行効率が向上し、燃費とエンジン出力向上を同時に改善でき、４サイクルエンジンよりも小型高出力、低燃費エンジンが得られる。
【図面の簡単な説明】
【０００６】
【図１】本発明のロータリーエンジンの断面概念図である。１はハウジング、２はローター、３はエキセントリックシャフト、４はスパークプラグ、５は排気ポート、６は吸気ポート、７は燃焼室、８は圧縮室、９は加熱ジャケット、１０は水冷ジャケットである。１のハウジングの中の壁に沿って反時計回りにローター２が回転し、ローター２が自転しながら公転することによってエキセントリックシャフト３が反時計回りに回転し、外部に動力を出力する。ローターの回転によって圧縮室８の体積が拡大するときに吸気ポート６から混合気が入り、次に燃焼室の体積が狭くなるとともに混合気が圧縮され、混合気の体積が小さくなって高圧になった時にスパークプラグ４が点火し、混合気が燃焼する。混合気が燃焼して高温になることによって圧力が上昇し、燃焼室７の体積が膨張しながらローター２が進角し、ローター２のギアを反してエキセントリックシャフト３に回転力が伝わる。そして燃焼室の体積が収縮するときに排気ポート５から燃焼ガスが排出され、また吸気ポート６から次の混合気の吸気が始まる。圧縮室８を冷却するため、１０の水冷ジャケットに外部の空気によって冷やされた流体が流れる。一方、燃焼室７の温度を高温に保つため、加熱ジャケット９に排気熱によって加熱した流体が流れる。